(57)【特許請求の範囲】
【請求項１】
プラスチックにて成形された上面開口の液用の容器本体と、
容器本体の上面開口に着脱可能に被嵌されたプラスチック製の蓋体と、
蓋体の下側に一体成形されたプラスチック製のシリンダと、
シリンダに摺動自在に嵌合されたプラスチック製のピストンと、
ピストンを摺動操作するレバーとを具備し、
蓋体は、
蓋体にプラスチックにて凹状に一体成形された液投入用凹部と、
液投入用凹部の底面部に開口され容器本体内に液を投入するための液投入口と、
液投入用凹部の開口縁に開閉自在に設けられたプラスチック製の投入口蓋と  を具備したことを特徴とするポンプ装置。
【請求項２】
蓋体におけるシリンダ周囲の溝に嵌着された係合爪部を有するとともにシリンダの内周面とピストンのロッド部の外周面との間に挿入された内筒部を有するプラスチック製のロッドガイド
を具備したことを特徴とする請求項１記載のポンプ装置。
【請求項３】
容器本体は、透明のプラスチックにて成形された  ことを特徴とする請求項１または２記載のポンプ装置。
【請求項４】
容器本体の下部より側方へプラスチックにて一体に突設された軸支部と、
軸支部から容器本体の外周面にわたってプラスチックにて一体成形された補強用のリブと、
軸支部に回動自在に軸支されたプラスチック製の転輪と  を具備したことを特徴とする請求項１乃至３のいずれか記載のポンプ装置。
【請求項５】
軸支部に嵌着され軸支部から容器本体の側面に沿って上方へ突設されたプラスチック製のハンドルと、
容器本体の上部より軸支部の上方へ一体に突設されハンドルの中間部を保持するプラスチック製のハンドル保持部と、
ハンドル保持部にプラスチックにて一体成形された補強用のリブと  を具備したことを特徴とする請求項４記載のポンプ装置。
【請求項６】
容器本体の接地面部より側方へ一体に突設されたプラスチック製の踏み板  を具備したことを特徴とする請求項１乃至５のいずれか記載のポンプ装置。
【発明の詳細な説明】
【０００１】
【発明の属する技術分野】
本発明は、容器一体型のポンプ装置に関する。
【０００２】
【従来の技術】
従来の、エンジンオイルの交換などに用いられるポンプ装置は、オイルを収容する容器と、この容器内のオイルを汲み上げるポンプとが、それぞれ独立して別個に構成され、容器に完成されたポンプが取付けられている。
【０００３】
【発明が解決しようとする課題】
このため、これらを単にプラスチックなどで成形した場合は、部品点数が多くなり、組立容易性やコストダウンを図りにくい問題がある。
【０００４】
本発明は、このような点に鑑みなされたもので、容器一体型の特有なポンプ構造により、部品点数を効果的に削減して、組立容易性やコストダウンを図れるプラスチック製のポンプ装置を提供することを目的とするものである。
【０００５】
【課題を解決するための手段】
請求項１に記載された発明は、プラスチックにて成形された上面開口の液用の容器本体と、容器本体の上面開口に着脱可能に被嵌されたプラスチック製の蓋体と、蓋体の下側に一体成形されたプラスチック製のシリンダと、シリンダに摺動自在に嵌合されたプラスチック製のピストンと、ピストンを摺動操作するレバーとを具備し、蓋体は、蓋体にプラスチックにて凹状に一体成形された液投入用凹部と、液投入用凹部の底面部に開口され容器本体内に液を投入するための液投入口と、液投入用凹部の開口縁に開閉自在に設けられたプラスチック製の投入口蓋とを具備したポンプ装置であり、プラスチック製の容器本体に被嵌したプラスチック製の蓋体にプラスチック製のシリンダを一体成形し、このシリンダにレバーで操作されるプラスチック製のピストンを嵌合したから、容器一体型の特有な構造を持つポンプ装置をプラスチック部品で構成でき、部品点数を効果的に削減して、組立容易性、コストダウンおよび軽量化を図れ、また、プラスチック製の蓋体は、液投入口から容器本体内に液を投入する際に、液投入用凹部が漏斗の役目を果たすから、液がこぼれにくく、また、プラスチック製の投入口蓋を閉じることで、液投入口から容器本体内へのごみの侵入を防止できる。
【０００６】
請求項２に記載された発明は、請求項１記載のポンプ装置において、蓋体におけるシリンダ周囲の溝に嵌着された係合爪部を有するとともにシリンダの内周面とピストンのロッド部の外周面との間に挿入された内筒部を有するプラスチック製のロッドガイドを具備したものであり、蓋体に係合爪部で嵌着されたロッドガイドの内筒部によりピストンのロッド部を案内するから、シリンダより小径のロッド部の横振れを防止してピストンを円滑に摺動できる。
【０００７】
請求項３に記載された発明は、請求項１または２記載のポンプ装置における容器本体が、透明のプラスチックにて成形されたものであり、容器本体が透明であるから、容器本体内の液残量を外部から確認でき、液量計が不要となる。
【０００８】
請求項４に記載された発明は、請求項１乃至３のいずれか記載のポンプ装置において、容器本体の下部より側方へプラスチックにて一体に突設された軸支部と、軸支部から容器本体の外周面にわたってプラスチックにて一体成形された補強用のリブと、軸支部に回動自在に軸支されたプラスチック製の転輪とを具備したものであり、リブにより容器本体とともに補強されたプラスチック製の軸支部によりプラスチック製の転輪を軸支したから、軽量で強度のある転輪取付構造を構成できる。
【０００９】
請求項５に記載された発明は、請求項４記載のポンプ装置において、軸支部に嵌着され軸支部から容器本体の側面に沿って上方へ突設されたプラスチック製のハンドルと、容器本体の上部より軸支部の上方へ一体に突設されハンドルの中間部を保持するプラスチック製のハンドル保持部と、ハンドル保持部にプラスチックにて一体成形された補強用のリブとを具備したものであり、プラスチック製の軸支部とともにプラスチック製のハンドルを支えるプラスチック製のハンドル保持部をリブで補強したから、プラスチック製ではあるが強度のあるハンドル取付構造が得られる。
【００１０】
請求項６に記載された発明は、請求項１乃至５のいずれか記載のポンプ装置において、容器本体の接地面部より側方へ一体に突設されたプラスチック製の踏み板を具備したものであり、レバーによりピストンを摺動操作するときに、踏み板を足で踏み付けるようにして容器本体を固定できるから、軽量の容器本体の転倒を防止できる。
【００１１】
【発明の実施の形態】
以下、本発明の一実施の形態を図１乃至図６を参照しながら説明する。
【００１２】
図１乃至図３において、11は、ポリプロピレンなどの透明のプラスチックにて射出成形された上面開口の液用の容器本体であり、この容器本体11の上面開口には、ポリプロピレンなどのプラスチック製の蓋体12が着脱可能に被嵌されている。
【００１３】
図４に示されるように、蓋体12の外周部には、外側から内側にむかって、外装円筒部13と、容器本体11の上端部の外周面に嵌着されたシール部材14と密着嵌合する外周嵌合円筒部15と、容器本体11の上端面と突合せ係合する係合円筒部16と、容器本体11の上端部の内周面に嵌合する内周嵌合円筒部17とが、順次配設され一体成形されている。
【００１４】
図４および図５に示されるように、蓋体12の外周部の３等分位置には、切欠凹部21がそれぞれ設けられ、これらの切欠凹部21の内部に蓋止め係合凹部22がそれぞれ設けられ、一方、図２および図３に示されるように、容器本体11の上部側面には、切欠凹部21と対応する３等分位置にて、容器本体11と一体成形のヒンジ部23を介して蓋止め板24がそれぞれ回動自在に取付けられている。
【００１５】
そして、これらの蓋止め板24を、容器本体11の上面開口に被嵌された蓋体12の各切欠凹部21にそれぞれ嵌合し、このとき、各蓋止め板24の先端部内面側にそれぞれ突設された凸部（図示せず）を、各切欠凹部21内の蓋止め係合凹部22に樹脂の弾力性を利用してそれぞれ係合させることで、容器本体11の上面開口に被嵌された蓋体12を固定する。
【００１６】
図１および図４に示されるように、蓋体12の下側にはプラスチック製のシリンダ25が一体成形されている。このシリンダ25は、ポンプのサクションパイプである。
【００１７】
このシリンダ25の下端面および下部一側面は開口され、これらの開口に、図１に示されるように吸込口部材26および吐出口部材27が嵌着され、ビス28によりシリンダ25の下部に固定されている。
【００１８】
吸込口部材26の下部には、容器本体11の底部まで伸びた吸込管31の上端部が接続され、また、吸込口部材26の上部に設けられた弁座32にはボール状の吸込側逆止弁33が接離自在に係合されている。
【００１９】
シリンダ25の下部の内壁には、この吸込側逆止弁33の浮上りを所定位置で係止する突起34が図５に示されるように放射状に突設されている。
【００２０】
図１に示されるように、シリンダ25にはプラスチック製のピストン35が摺動自在に嵌合されている。このピストン35の周面にはＯリング36が嵌着され、また、このピストン35には、別体に成形されたプラスチック製のロッド部37がビス38により一体化されている。
【００２１】
このピストン35は、そのロッド部37に接続されたプラスチック製のレバー41により摺動操作される。
【００２２】
このレバー41は、蓋体12に一体成形されたブラケット42にピン43で連結されたブラスチック製のリンク44の上端にさらにピン45でレバー41の基端が連結され、このレバー41の基端に近い中間部がピン46によりピストン35のロッド部37の上端に連結され、てこの原理が働くようにピン46より十分離れたレバー先端部に取手47が設けられている。
【００２３】
図１に示されるように、ピストン35のロッド部37は、プラスチック製のロッドガイド51により案内されて円滑に上下動する。このロッドガイド51は、図５に示された蓋体12のシリンダ周囲の溝52に嵌着された４本の係合爪部53を有するとともに、シリンダ25の内周面とロッド部37の外周面との間に挿入された内筒部54を有する。
【００２４】
ロッドガイド51の係合爪部53は、図１に示されるように下端の肉厚部の外周面に凹溝55を有し、蓋体12のシリンダ周囲の溝52は、図５に示されるように４等分位置に設けられた途中で溝幅に段差のある円弧状の溝である。
【００２５】
したがって、この円弧状の溝52の溝幅大の部分にロッドガイド51の係合爪部53の肉厚部を挿入してから係合爪部53を回動することにより、肉厚部の凹溝55を円弧状の溝52の溝幅小の部分に嵌合して、ロッドガイド51を容易に取付けることができる。
【００２６】
図２および図３に示されるように、容器本体11の下部より側方へプラスチックにて一体成形された軸支部56が突設され、この軸支部56から容器本体11の外周面にわたって補強用のリブ57がプラスチックにて一体成形されている。軸支部56の左右両側にはプラスチック製の転輪58が、軸支部56を貫通する軸部材により回動自在に軸支されている。
【００２７】
図２に示されるように、プラスチックで一体成形された棒状のハンドル61が容器本体11の側面に沿って上方へ突設されている。ハンドル61の下端部は、軸支部56に嵌着され、ハンドル61の中間部は、容器本体11の上部より軸支部56の上方へ一体に突設されたプラスチック製のハンドル保持部62により保持されている。ハンドル保持部62には、付根から先端にわたって補強用のリブ63がプラスチックにて一体成形されている。ハンドル61の上部には把持部64が設けられている。
【００２８】
図２および図３に示されるように、容器本体11の接地面部より側方へプラスチック製の踏み板65が一体に突設されている。
【００２９】
図３および図５に示されるように、蓋体12には、メータ66などの電気機器類を取付けるための取付穴67と、前記吐出口部材27に接続された吐出側ホース68を外部に引出すためのホース引出し穴69と、吐出側ホース68の先端部に接続されたノズル71の先端注入口72を待機状態で挿入する待機穴73とが、それぞれ開口されている。
【００３０】
ノズル71の内部には、図１に示されたボール状の吐出側逆止弁74が嵌合されている。
【００３１】
蓋体12には、さらに待機穴73に対して待機状態のノズル71を保持するノズル保持部75が一体成形され、また、小物入れ部76および液投入部77がそれぞれ設けられている。
【００３２】
液投入部77は、図６に示されるように、蓋体12にプラスチックにて凹状に一体成形された液投入用凹部78と、この液投入用凹部78の底面部に開口され容器本体11内にオイルなどの液を投入するための液投入口79と、液投入用凹部78の蓋体中心側の開口縁に蓋体12と一体成形されたヒンジ80を介して開閉自在に設けられたプラスチック製の投入口蓋81とを具備したものである。
【００３３】
次に、この実施の形態の作用効果を説明する。
【００３４】
例えばエンジンオイルの交換などにおいて、エンジンルームから廃油を抜取った後、容器本体11内に収容された新油をエンジンルームに注入するときなどにおいて、本ポンプ装置を用いる。
【００３５】
その際、レバー41を上方へ操作して、ピストン35を引上げると、ピストン35より下側のシリンダ25内が大気圧よりも低くなるから、容器本体11内の液は液面に作用する大気圧により吸込管31内を上昇し、吸込口部材26、吸込側逆止弁33を経てピストン35より下側のシリンダ25内に吸込まれる。
【００３６】
一方、レバー41を下方へ操作して、ピストン35を押下げると、シリンダ25内の液に圧が生じ、吸込側逆止弁33が弁座32を閉じるとともに、ピストン35によりシリンダ25内から吐出口部材27を経て吐出側ホース68に押出された液が、ノズル71内の吐出側逆止弁74を経てノズル71の先端注入口72より噴出するので、例えば、この先端注入口72をエンジンのオイルレベルゲージ差込孔に挿入しておけば、エンジンルーム内に容器本体11内のオイルを供給できる。
【００３７】
このとき、蓋体12に係合爪部53で嵌着されたロッドガイド51の内筒部54によりピストン35のロッド部37を案内するから、シリンダ25より小径のロッド部37の横振れを防止してピストン35を円滑に摺動できる。
【００３８】
また、レバー41によりピストン35を摺動操作するときに、踏み板65を足で踏み付けるようにして容器本体11を固定できるから、軽量の容器本体11の転倒を防止できる。
【００３９】
さらに、本ポンプ装置を移動するときは、ハンドル61を引き倒すように傾斜させることで、容器本体11を１対の転輪58を支点として傾けながら地面から浮かせた状態にして、移動させることができる。
【００４０】
図６に示されるように、オイルタンク82内のオイルなどの液を液投入口79から容器本体11内に投入するときは、投入口蓋81を蓋体12の中心側へ開けることで、この投入口蓋81がオイルタンクなどから勢いよく流出した液を遮って、液投入用凹部78の後方へ飛散ることを防止するとともに、液投入用凹部78が漏斗の役目を果たすから、液がこぼれにくい。また、液投入時以外では、投入口蓋81を閉じることで、液投入口79から容器本体11内へのごみの侵入を防止できる。
【００４１】
プラスチック製の容器本体11に被嵌したプラスチック製の蓋体12にプラスチック製のシリンダ25を一体成形し、このシリンダ25にプラスチック製のレバー41で操作されるプラスチック製のピストン35を嵌合したから、容器一体型の特有な構造を持つポンプ装置をプラスチック部品で構成でき、部品点数を効果的に削減して、組立容易性、コストダウンおよび軽量化を図れる。
【００４２】
少数のビス28，38を除いて、プラスチック製品の螺合による組付構造を廃止し、プラスチック製品の弾力性を利用した嵌込による組付構造を採用したので、組付および分解が容易であり、保守管理も容易になる。
【００４３】
容器本体11が透明であるから、容器本体11内の液残量を外部から確認でき、液量計が不要となる。
【００４４】
リブ57により容器本体11とともに補強されたプラスチック製の軸支部56によりプラスチック製の転輪58を軸支したから、軽量で強度のある転輪取付構造を構成できる。
【００４５】
プラスチック製の軸支部56とともにプラスチック製のハンドル61を支えるプラスチック製のハンドル保持部62をリブ63で補強したから、プラスチック製ではあるが強度のあるハンドル取付構造が得られる。
【００４６】
【発明の効果】
請求項１記載の発明によれば、プラスチック製の容器本体に被嵌したプラスチック製の蓋体にプラスチック製のシリンダを一体成形し、このシリンダにレバーで操作されるプラスチック製のピストンを嵌合したから、容器一体型の特有な構造を持つポンプ装置をプラスチック部品で構成でき、部品点数を効果的に削減して、組立容易性、コストダウンおよび軽量化を図れ、また、プラスチック製の蓋体は、液投入口から容器本体内に液を投入する際に、液投入用凹部が漏斗の役目を果たすから、液がこぼれにくく、また、プラスチック製の投入口蓋を閉じることで、液投入口から容器本体内へのごみの侵入を防止できる。
【００４７】
請求項２記載の発明によれば、蓋体に係合爪部で嵌着されたロッドガイドの内筒部によりピストンのロッド部を案内するから、シリンダより小径のロッド部の横振れを防止してピストンを円滑に摺動できる。
【００４８】
請求項３記載の発明によれば、容器本体が透明であるから、容器本体内の液残量を外部から確認でき、液量計が不要となる。
【００４９】
請求項４記載の発明によれば、リブにより容器本体とともに補強されたプラスチック製の軸支部によりプラスチック製の転輪を軸支したから、軽量で強度のある転輪取付構造を構成できる。
【００５０】
請求項５記載の発明によれば、プラスチック製の軸支部とともにプラスチック製のハンドルを支えるプラスチック製のハンドル保持部をリブで補強したから、プラスチック製ではあるが強度のあるハンドル取付構造が得られる。
【００５１】
請求項６記載の発明によれば、レバーによりピストンを摺動操作するときに、踏み板を足で踏み付けるようにして容器本体を固定できるから、軽量の容器本体の転倒を防止できる。
【図面の簡単な説明】
【図１】  本発明に係るポンプ装置の一実施の形態を示す断面図である。
【図２】  同上ポンプ装置の側面図である。
【図３】  同上ポンプ装置の斜視図である。
【図４】  同上ポンプ装置の蓋体・シリンダ成形品の断面図である。
【図５】  同上ポンプ装置の蓋体の平面図である。
【図６】  （Ａ）は同上ポンプ装置の液投入部を示す斜視図、（Ｂ）はその液投入部の断面図である。
【符号の説明】
11    容器本体
12    蓋体
25    シリンダ
35    ピストン
37    ロッド部
41    レバー
51    ロッドガイド
52    シリンダ周囲の溝
53    係合爪部
54    内筒部
56    軸支部
57    リブ
58    転輪
61    ハンドル
62    ハンドル保持部
63    リブ
65    踏み板
78    液投入用凹部
79    液投入口
81    投入口蓋
【図１】
0003908467.tif 000002
【図２】
0003908467.tif 000003
【図３】
0003908467.tif 000004
【図４】
0003908467.tif 000005
【図５】
0003908467.tif 000006
【図６】
0003908467.tif 000007